(57)【要約】【課題】  小型化を可能にするブロッキングフィルタを提供する。【解決手段】  電灯線通信により発生する信号を阻止するブロッキングフィルタにおいて、第１のコア部分１１Ｅと、この第１のコア部分１１Ｅの両側に設けられた第２および第３のコア部分１１Ａ、１１Ｂとを具備し、これら３つのコア部分の両端が互いに連結されて形成されたコア１１と、第２および第３のコア部分１１Ａ、１１Ｂにそれぞれ設けられた第１および第２のリアクトル１、２と、第１および第２のリアクトル１、２の出力側に直列に接続された第１および第２のコンデンサ回路３、４とを有する。第１のリアクトル１と第１のコンデンサ回路３とで第１のフィルタを形成し、第２のリアクトル２と第２のコンデンサ回路４とで第２のフィルタを形成する。【選択図】  図１
2005203916.tif 000002
【特許請求の範囲】
【請求項１】
電灯線通信により発生する信号を阻止するブロッキングフィルタにおいて、
第１のコア部分（１１Ｅ）と、この第１のコア部分（１１Ｅ）の両側に設けられた第２および第３のコア部分（１１Ａ、１１Ｂ）とを具備し、これら３つのコア部分（１１Ａ、１１Ｂ）の両端が互いに連結されて形成されたコア（１１）と、
前記第２および第３のコア部分（１１Ａ、１１Ｂ）にそれぞれ設けられた第１および第２のリアクトル（１、２）と、
前記第１および第２のリアクトル（１、２）の出力側に直列に接続された第１および第２のコンデンサ回路（３、４）と、
を有し、
前記第１のリアクトル（１）と前記第１のコンデンサ回路（３）とで第１のフィルタを形成し、前記第２のリアクトル（２）と前記第２のコンデンサ回路（４）とで第２のフィルタを形成することを特徴とするブロッキングフィルタ。
【発明の詳細な説明】
【技術分野】
【０００１】
本発明は、電灯線通信による高周波信号の通過を阻止するブロッキングフィルタに関する。
【背景技術】
【０００２】
電灯線通信は、商用電源を供給する電力線を伝送路として、高周波の搬送波を用いて信号の送受信を行う。電灯線通信では、宅内から隣家に高周波信号が伝わらないようにするために、電力線にブロッキングフィルタが用いられる。一般に、低圧の商用電源供給では、単相三線式が用いられている。単相三線式では、０ボルトの中性線に対して、１００ボルトの２本の線によって、宅内に１００ボルトまたは２００ボルトの電源を供給している。
【０００３】
電灯線通信用のブロッキングフィルタは次のように接続される。図３に示すように、柱上トランス１０１で低圧に変換された単相三線式では、０ボルトの中性線であるＮ線と、１００ボルトの２本の線であるＬ１線およびＬ２線とによって、各住宅１１０内に商用電源が供給される。このとき、供給側のＮ線、Ｌ１線、Ｌ２線の３線と、住宅１１０内に配線されている需要側のＮ線、Ｌ３線、Ｌ４線の３線との間に、ブロッキングフィルタ１０２が接続される。このようなブロッキングフィルタが特許文献１に示されている。
【０００４】
ブロッキングフィルタ１０２によれば、需要側のＮ線、Ｌ３線、Ｌ４線に接続されている送信機１０３が受信機１０４に高周波信号を送るとき、この信号は、ブロッキングフィルタ１０２によって通過が阻止されるので、供給側のＮ線、Ｌ１線、Ｌ２線に漏れることがない。
【０００５】
ところで、ブロッキングフィルタ１０２には、図４に示すように、２つのリアクトル１０１、１０２がＬ１−Ｌ３線間とＬ２−Ｌ４線間とに設けられているものがある。さらに、リアクトル１０１の出力側とリアクトル１０２の出力側との間に、コンデンサで構成されるコンデンサ回路１０３、１０４が設けられている。そして、リアクトル１０１、１０２とコンデンサ回路１０３、１０４とで形成されるフィルタによって、高周波信号が住宅１１０から隣の住宅に漏れることを防いでいる。
【特許文献１】特開平３−２９６３１３号公報
【発明の開示】
【発明が解決しようとする課題】
【０００６】
従来のブロッキングフィルタには、次のような課題がある。つまり、従来のブロッキングフィルタは２つのリアクトル１０１、１０２（図４）を備えている。一方、電灯線間には、１０Ωのインピーダンスがある。リアクトル１０１とリアクトル１０２とに磁気的な結合があると、電灯線のインピーダンス分１０Ωにより、ブロッキングフィルタの減衰特性が劣化する。このために、リアクトル１０１をリアクトル１０２から離して結合を切る必要があり、この結果、ブロッキングフィルタの形状が大型になってしまう。
【０００７】
本発明は、前記の課題を解決し、小型化を可能にするブロッキングフィルタを提供することにある。
【課題を解決するための手段】
【０００８】
前記課題を解決するために、請求項１の発明は、電灯線通信により発生する信号を阻止するブロッキングフィルタにおいて、第１のコア部分と、この第１のコア部分の両側に設けられた第２および第３のコア部分とを具備し、これら３つのコア部分の両端が互いに連結されて形成されたコアと、前記第２および第３のコア部分にそれぞれ設けられた第１および第２のリアクトルと、前記第１および第２のリアクトルの出力側に直列に接続された第１および第２のコンデンサ回路とを有し、前記第１のリアクトルと前記第１のコンデンサ回路とで第１のフィルタを形成し、前記第２のリアクトルと前記第２のコンデンサ回路とで第２のフィルタを形成することを特徴とするブロッキングフィルタである。
【発明の効果】
【０００９】
請求項１の発明により、第１のコア部分の両側に設けられた第２および第３のコア部分の両端を互いに連結して形成したコアを用いることにより、第１のコア部分がパスコアとなり、第１のリアクトルと第２のリアクトルとの磁気的な結合を切る。この結果、第１のリアクトルと第２のリアクトルとを接近して配置することができ、ブロッキングフィルタの小型化を可能にする。
【発明を実施するための最良の形態】
【００１０】
つぎに、本発明の実施の形態について説明する。本実施の形態によるブロッキングフィルタを図１に示す。図１のブロッキングフィルタは、リアクトル１、２と、コンデンサ回路３、４と、コンデンサ５と、出力端子６Ａ〜６Ｃと、入力端子７Ａ〜７Ｃとを備えている。本実施の形態では、リアクトル１、２が第１および第２のリアクトルであり、コンデンサ回路３、４が第１および第２のコンデンサ回路である。
【００１１】
入力端子７Ａは単相三線式の供給側のＬ１線に接続され、入力端子７ＢはＮ線に接続され、入力端子７ＣはＬ２線に接続されている。出力端子６Ａは需要側（負荷側）のＬ３線に接続され、出力端子６ＢはＮ線に接続され、出力端子６ＣはＬ４線に接続されている。出力端子６Ａと出力端子６Ｂとの間には、需要側である宅内の家電製品から発生する高周波信号ＣＨ１が加えられ、同じく、出力端子６Ｃと出力端子６Ｂとの間には、高周波信号ＣＨ２が加えられている。なお、図示を省略しているが、入力端子７Ｂと出力端子６Ｂとは電気的に接続されている。
【００１２】
コンデンサ回路３は、リアクトル１と共に第１のフィルタを形成する。本実施の形態では、コンデンサ回路３は入力端子７Ａと入力端子７Ｂとの間に接続されたコンデンサによって形成されている。コンデンサ回路４は、リアクトル２と共に第２のフィルタを形成する。本実施の形態では、コンデンサ回路４は入力端子７Ｃと入力端子７Ｂとの間に接続されたコンデンサによって形成されている。
【００１３】
リアクトル１は出力端子６Ａと入力端子７Ａとの間に接続され、リアクトル２は出力端子６Ｃと出力端子７Ｃとの間に接続されている。リアクトル１、２は、コア１１に設けられている。
【００１４】
コア１１は次のようにして形成されている。つまり、棒状コア１１Ａ、１１Ｂの両端が棒状コア１１Ｃ、１１Ｄによって連結されて、ロ字状のコアが形成されている。さらに、棒状コア１１Ｃ、１１Ｄの中央に、かつ、棒状コア１１Ｃと、棒状コア１１Ｄとの間に、パスコア１１Ｅが設けられている。つまり、パスコア１１Ｅの両側に棒状コア１１Ａ、１１Ｂが配置されている。リアクトル１は棒状コア１１Ａに設けられ、リアクトル２は棒状コア１１Ｂに設けられている。パスコア１１Ｅによって、リアクトル１とリアクトル２との磁気的な結合が切られている。
【００１５】
前記の構成の本実施の形態は次のように動作する。一方の１００Ｖ商用電源は、リアクトル１を通り、出力端子６Ａ、６Ｂにより負荷に加えられる。同じように、他方の１００Ｖの商用電源は、リアクトル２を通り、出力端子６Ｃ、６Ｂにより、負荷に加えられる。
【００１６】
一方、電灯線通信による高周波信号ＣＨ１が出力端子６Ａに加えられると、この信号は、リアクトル１とコンデンサ回路３とで形成されるフィルタにより、入力端子７Ａ側への通過が阻止される。同じように、高周波信号ＣＨ２が出力端子６Ｃに加えられると、この信号は、リアクトル２とコンデンサ回路２とで形成されるフィルタにより、入力端子７Ｃ側への通過が阻止される。さらに、出力端子６Ａからの高周波信号は、コンデンサ５によってバイパスされて、出力端子６Ｃから出力され、出力端子６Ｃからの高周波信号は、コンデンサ５によってバイパスされて、出力端子６Ａから出力される。
【００１７】
こうして本実施の形態により、コア１１の棒状コア１１Ａと棒状コア１１Ｂとの間隔を広げなくても、パスコア１１Ｅによってリアクトル１とリアクトル２との磁気的な結合を切ることができるので、外形の大型化を防ぐことができる。
【実施例】
【００１８】
本発明の実施例について具体的に説明する。本実施例によるブロッキングフィルタを図２に示す。図２のブロッキングフィルタでは、鉄芯２１と鉄芯２２とがロ字状に形成され、さらに、鉄芯２２の間に、パスコア２３となる鉄心２１が配置されている。また、本実施例では、両側の鉄芯２１にボビン２４が設けられ、ボビン２４には、リアクトルが設けられている。本実施例によるリアクトルは、板状の平角電線２５を、板面が向かい合うように巻装したものである。
【００１９】
本実施例では、図示を省略しているが、リアクトルである平角電線２５に対してフィルタなどを構成するコンデンサが接続されている。
【００２０】
こうした本実施例によれば、小型のブロッキングフィルタを提供することができる。
【００２１】
以上、本発明の実施形態を詳述してきたが、具体的な構成は本実施形態に限られるものではなく、本発明の要旨を逸脱しない範囲の設計の変更等があっても、本発明に含まれる。
【図面の簡単な説明】
【００２２】
【図１】本発明の一実施の形態によるブロッキングフィルタを示す回路図である。
【図２】本発明の実施例を示す平面図である。
【図３】ブロッキングフィルタの接続を説明する説明図である。
【図４】商用電源の各線間のインピーダンスを示す図である。
【符号の説明】
【００２３】
１、２  リアクトル
３、４  コンデンサ回路
５  コンデンサ
６Ａ〜６Ｃ  出力端子
７Ａ〜７Ｃ  入力端子
１１  コア
１１Ａ〜１１Ｄ  棒状コア
１１Ｅ  パスコア
２１、２２  鉄芯
２３  パスコア
２４  ボビン
２５  平角電線
【図１】
2005203916.tif 000003
【図２】
2005203916.tif 000004
【図３】
2005203916.tif 000005
【図４】
2005203916.tif 000006